(57)【特許請求の範囲】
【請求項１】
命綱本体と、
前記命綱本体の基端に取り付けられた、高所作業用安全帯の胴ベルトへの連結のための連結金具と、
前記命綱本体の先端に取り付けられた、固定用構造物への係止のためのフックと、を備えた高所作業用命綱において、
前記命綱本体は、
長尺の弾性部材と、
筒状をなし、前記弾性部材を被覆する被覆部材と、を有し、
前記被覆部材は２層構造の袋織物からなり、前記袋織物の内層を構成する経糸の一部が金属糸であり、前記内層を構成する経糸の残りが高強度の合成繊維糸であり、前記袋織物の外層を構成する経糸と前記袋織物を構成する緯糸とが合成繊維糸であり、前記袋織物が長手方向に一定ピッチで波状に屈曲した状態に成形加工されており、
前記被覆部材は前記弾性部材の自然長よりも長く、前記弾性部材および前記被覆部材の一端同士が重ね合わされ、かつ前記連結金具の連結用開口に挿通されて折り返された状態で、当該折り返し部が前記弾性部材および前記被覆部材の本体部分に縫着される一方、前記弾性部材および前記被覆部材の他端同士が重ね合わされ、かつ前記フックの連結用開口に挿通されて折り返された状態で、当該折り返し部が前記弾性部材および前記被覆部材の本体部分に縫着され、前記被覆部材の内層が、前記胴ベルトを装着した作業者の墜落時の衝撃荷重に耐え得る強度を有しているものであることを特徴とする高所作業用命綱。
【請求項２】
命綱本体と、
前記命綱本体の基端に取り付けられた、高所作業用安全帯の胴ベルトへの連結のための連結金具と、
前記命綱本体の先端に取り付けられた、固定用構造物への係止のためのフックと、を備えた高所作業用命綱において、
前記命綱本体は、
長尺の弾性部材と、
筒状をなし、前記弾性部材を被覆する被覆部材と、を有し、
前記被覆部材は２層構造の袋織物からなり、前記袋織物の内層を構成する経糸の一部が金属糸であり、前記内層を構成する経糸の残りが高強度の合成繊維糸であり、前記袋織物の外層を構成する経糸の一部が金属糸であり、前記外層を構成する経糸の残りと前記袋織物を構成する緯糸とが合成繊維糸であり、前記袋織物が成形加工されて長手方向に一定ピッチで波状に屈曲した状態に成形加工されており、
前記被覆部材は前記弾性部材の自然長よりも長く、前記弾性部材および前記被覆部材の一端同士が重ね合わされ、かつ前記連結金具の連結用開口に挿通されて折り返された状態で、当該折り返し部が前記弾性部材および前記被覆部材の本体部分に縫着される一方、前記弾性部材および前記被覆部材の他端同士が重ね合わされ、かつ前記フックの連結用開口に挿通されて折り返された状態で、当該折り返し部が前記弾性部材および前記被覆部材の本体部分に縫着され、前記被覆部材の内層が、前記胴ベルトを装着した作業者の墜落時の衝撃荷重に耐え得る強度を有しているものであることを特徴とする高所作業用命綱。
【請求項３】
前記袋織物の内層を構成する経糸と前記袋織物の外層を構成する経糸が互いに異なる色を有していることを特徴とする請求項１または請求項２に記載の高所作業用命綱。
【請求項４】
前記弾性部材および前記被覆部材の両端のそれぞれの前記折り返し部の前記縫着が単一の綴じ糸によってなされ、
前記縫着は、
前記折り返し部の両側に沿って直線状にのびる一対の第１の縫い部分と、
一端が前記一対の第１の縫い部分のうちの一方の先端に接続し、前記一方の第１の縫い部分から前記一対の第１の縫い部分のうちの他方に向けて、かつ前記一方の第１の縫い部分の長手方向中間までジグザグ状にのび、他端が前記一対の第１の縫い部分間に位置する第２の縫い部分と、
前記一対の第１の縫い部分のそれぞれから等間隔をあけてかつ前記第１の縫い部分に平行にのびる直線に関して前記第２の縫い部分と軸対称に配置され、一端が前記他方の第１の縫い部分の先端に接続し、他端が前記第２の縫い部分の前記他端に接続する第３の縫い部分と、から形成され、さらに、前記一対の第１の縫い部分のうちの少なくとも一方の後端が先端側に折り返してのびていることを特徴とする請求項１〜請求項３のいずれかに記載の高所作業用命綱。
【請求項５】
前記弾性部材および前記被覆部材の両端のそれぞれの前記折り返し部の前記縫着が単一の綴じ糸によってなされ、
前記縫着は、
前記折り返し部の両側に沿って直線状にのびる一対の第１の縫い部分と、
一端が前記一対の第１の縫い部分のうちの一方の長手方向中間に接続し、前記一方の第１の縫い部分から前記一対の第１の縫い部分のうちの他方に向けて、かつ前記一方の第１の縫い部分の先端までジグザグ状にのび、他端が前記一対の第１の縫い部分間に位置する第２の縫い部分と、
一端が前記他方の第１の縫い部分の後端に接続し、他端が前記第２の縫い部分の前記一端に接続する直線状の第３の縫い部分と、
前記一対の第１の縫い部分のそれぞれから等間隔をあけてかつ前記第１の縫い部分に平行にのびる直線に関して前記第２の縫い部分と軸対称に配置され、一端が前記他方の第１の縫い部分の長手方向中間に接続し、他端が前記第２の縫い部分の前記他端に接続する第４の縫い部分と、
一端が前記一方の第１の縫い部分の後端に接続し、他端が前記第４の縫い部分の前記一端に接続する直線状の第５の縫い部分と、
前記一対の第１の縫い部分の先端同士を接続する直線状の第６の縫い部分と、から形成され、さらに、前記一対の第１の縫い部分のうちの少なくとも一方の後端が先端側に折り返してのびていることを特徴とする請求項１〜請求項３のいずれかに記載の高所作業用命綱。
【請求項６】
前記弾性部材が、１本または複数本のゴムベルトまたはゴムひもからなっていることを特徴とする請求項１〜請求項５のいずれかに記載の高所作業用命綱。
【発明の詳細な説明】
【技術分野】
【０００１】
本発明は、高所作業現場において作業者の墜落防止のために使用される高所作業用安全帯に備えられる命綱に関するものである。
【背景技術】
【０００２】
高所作業用安全帯は、一般に、作業者に装着される胴ベルトと、胴ベルトに備えられた命綱とから構成されている。
そして、命綱は、通常、命綱本体（ストラップまたはロープからなる）と、命綱本体の基端に取り付けられた胴ベルト（または胴ベルトのＤ環）との連結用の連結金具と、命綱本体の先端に取り付けられた固定用構造物への係止用のフックとを備えており、必要に応じて、ショックアブソーバを備えていることもある。
【０００３】
また、命綱には、命綱本体を巻き取る巻取器を備えた巻取式の命綱と、巻取器を備えていない非巻取式の命綱の２種類がある。
非巻取式の命綱においては、命綱本体が長くなると、作業者が移動できる範囲が広がり、フックを頻繁に掛けかえる必要がなくなる一方で、フックに近い場所で作業がなされる間は、垂れ下がった命綱本体が、作業者の移動を妨げたり、構造物に引っ掛かったりして作業に支障をきたす場合がある。
また、命綱本体が短すぎると、フックの掛けかえ頻度が増えて作業効率が低下する。
【０００４】
このような非巻取式の命綱の欠点を解消するため、従来技術において、命綱本体を伸縮自在とした命綱が提案されている（例えば、特許文献１、２参照）。
この種の命綱においては、命綱本体は、長尺筒状の低伸度（または非伸縮性）袋ベルトの内部に長さが袋ベルトよりも短い長尺弾性体を挿入し、長尺弾性体を自然長から伸張させた状態で袋ベルトと長尺弾性体とを縫着したものからなっている。
【０００５】
そして、命綱本体は、長尺弾性体が自然長であって、袋ベルトの表裏面が均等に波状となり蛇腹構造を形成する位置と、長尺弾性体が、袋ベルトが最大長まで伸びて蛇腹構造が消滅するまで伸張する位置との間で伸縮する。
【０００６】
この従来の命綱においては、命綱本体の長尺弾性体は専ら命綱本体に伸縮性を付与するために使用され、袋ベルトが作業者の墜落時に作業者を吊下げ状態に支持する機能を有している。そのため、袋ベルトは、墜落時の衝撃荷重に耐え得るべく、法定の基準値以上の強度を有していなければならない
【０００７】
ところで、袋ベルトは長尺弾性体の外面を覆って保護する保護部材としても機能しているので、外部環境に直接さらされ、摩耗や紫外線による劣化等が生じやすい。そして、袋ベルトの摩耗や劣化が一定程度以上に進んだ状態で作業者の墜落が生じると、袋ベルトが破断し、作業者を保護できなくなるおそれがある。
【０００８】
したがって、袋ベルトの摩耗や劣化の状況を見ながら、適宜袋ベルトを交換する必要がある。しかし、袋ベルトの摩耗や劣化の程度と強度との相関関係は複雑であるから、袋ベルトの交換時期の判断が容易ではなく、そのため、袋ベルトがまだ十分な強度を有している段階でベルト交換をしなければならない。
さらには、命綱本体が蛇腹構造を有しているので、袋ベルトにおける蛇腹構造の山を形成する部分が摩耗および劣化しやすく、袋ベルトにおける蛇腹構造の谷を形成する部分の摩耗や劣化は見落としがちになる。
【０００９】
すなわち、この従来の命綱は、安全面でやや問題があり、しかも頻繁に交換が必要となってコストがかかるという欠点を有している。
【先行技術文献】
【特許文献】
【００１０】
【特許文献１】実用新案登録第３１７０２６２号公報
【特許文献２】特開２０１４−１００２６３号公報
【発明の概要】
【発明が解決しようとする課題】
【００１１】
したがって、本発明の課題は、安全性に優れ、長期間使用できる伸縮自在な高所作業用命綱を提供することにある。
【課題を解決するための手段】
【００１２】
上記課題を解決するため、第１の発明は、命綱本体と、前記命綱本体の基端に取り付けられた、高所作業用安全帯の胴ベルトへの連結のための連結金具と、前記命綱本体の先端に取り付けられた、固定用構造物への係止のためのフックと、を備えた高所作業用命綱において、前記命綱本体は、長尺の弾性部材と、筒状をなし、前記弾性部材を被覆する被覆部材と、を有し、前記被覆部材は２層構造の袋織物からなり、前記袋織物の内層を構成する経糸の一部が金属糸であり、前記内層を構成する経糸の残りが高強度の合成繊維糸であり、前記袋織物の外層を構成する経糸と前記袋織物を構成する緯糸とが合成繊維糸であり、前記袋織物が長手方向に一定ピッチで波状に屈曲した状態に成形加工されており、前記被覆部材は前記弾性部材の自然長よりも長く、前記弾性部材および前記被覆部材の一端同士が重ね合わされ、かつ前記連結金具の連結用開口に挿通されて折り返された状態で、当該折り返し部が前記弾性部材および前記被覆部材の本体部分に縫着される一方、前記弾性部材および前記被覆部材の他端同士が重ね合わされ、かつ前記フックの連結用開口に挿通されて折り返された状態で、当該折り返し部が前記弾性部材および前記被覆部材の本体部分に縫着され、前記被覆部材の内層が、前記胴ベルトを装着した作業者の墜落時の衝撃荷重に耐え得る強度を有しているものであることを特徴とする高所作業用命綱を構成したものである。
【００１３】
上記課題を解決するため、また、第２の発明は、命綱本体と、前記命綱本体の基端に取り付けられた、高所作業用安全帯の胴ベルトへの連結のための連結金具と、前記命綱本体の先端に取り付けられた、固定用構造物への係止のためのフックと、を備えた高所作業用命綱において、前記命綱本体は、長尺の弾性部材と、筒状をなし、前記弾性部材を被覆する被覆部材と、を有し、前記被覆部材は２層構造の袋織物からなり、前記袋織物の内層を構成する経糸の一部が金属糸であり、前記内層を構成する経糸の残りが高強度の合成繊維糸であり、前記袋織物の外層を構成する経糸の一部が金属糸であり、前記外層を構成する経糸の残りと前記袋織物を構成する緯糸とが合成繊維糸であり、前記袋織物が成形加工されて長手方向に一定ピッチで波状に屈曲した状態に成形加工されており、前記被覆部材は前記弾性部材の自然長よりも長く、前記弾性部材および前記被覆部材の一端同士が重ね合わされ、かつ前記連結金具の連結用開口に挿通されて折り返された状態で、当該折り返し部が前記弾性部材および前記被覆部材の本体部分に縫着される一方、前記弾性部材および前記被覆部材の他端同士が重ね合わされ、かつ前記フックの連結用開口に挿通されて折り返された状態で、当該折り返し部が前記弾性部材および前記被覆部材の本体部分に縫着され、前記被覆部材の内層が、前記胴ベルトを装着した作業者の墜落時の衝撃荷重に耐え得る強度を有しているものであることを特徴とする高所作業用命綱を構成したものである。
【００１４】
上記構成において、前記袋織物の内層を構成する経糸と前記袋織物の外層を構成する経糸が互いに異なる色を有していることが好ましい。
【００１５】
また、上記構成において、好ましくは、前記弾性部材および前記被覆部材の両端のそれぞれの前記折り返し部の前記縫着が単一の綴じ糸によってなされ、前記縫着は、前記折り返し部の両側に沿って直線状にのびる一対の第１の縫い部分と、一端が前記一対の第１の縫い部分のうちの一方の先端に接続し、前記一方の第１の縫い部分から前記一対の第１の縫い部分のうちの他方に向けて、かつ前記一方の第１の縫い部分の長手方向中間までジグザグ状にのび、他端が前記一対の第１の縫い部分間に位置する第２の縫い部分と、前記一対の第１の縫い部分のそれぞれから等間隔をあけてかつ前記第１の縫い部分に平行にのびる直線に関して前記第２の縫い部分と軸対称に配置され、一端が前記他方の第１の縫い部分の先端に接続し、他端が前記第２の縫い部分の前記他端に接続する第３の縫い部分と、から形成され、さらに、前記一対の第１の縫い部分のうちの少なくとも一方の後端が先端側に折り返してのびている。
【００１６】
あるいは、前記弾性部材および前記被覆部材の両端のそれぞれの前記折り返し部の前記縫着が単一の綴じ糸によってなされ、前記縫着は、前記折り返し部の両側に沿って直線状にのびる一対の第１の縫い部分と、一端が前記一対の第１の縫い部分のうちの一方の長手方向中間に接続し、前記一方の第１の縫い部分から前記一対の第１の縫い部分のうちの他方に向けて、かつ前記一方の第１の縫い部分の先端までジグザグ状にのび、他端が前記一対の第１の縫い部分間に位置する第２の縫い部分と、一端が前記他方の第１の縫い部分の後端に接続し、他端が前記第２の縫い部分の前記一端に接続する直線状の第３の縫い部分と、前記一対の第１の縫い部分のそれぞれから等間隔をあけてかつ前記第１の縫い部分に平行にのびる直線に関して前記第２の縫い部分と軸対称に配置され、一端が前記他方の第１の縫い部分の長手方向中間に接続し、他端が前記第２の縫い部分の前記他端に接続する第４の縫い部分と、一端が前記一方の第１の縫い部分の後端に接続し、他端が前記第４の縫い部分の前記一端に接続する直線状の第５の縫い部分と、前記一対の第１の縫い部分の先端同士を接続する直線状の第６の縫い部分と、から形成され、さらに、前記一対の第１の縫い部分のうちの少なくとも一方の後端が先端側に折り返してのびている。
【００１７】
また、前記弾性部材が、１本または複数本のゴムベルトまたはゴムひもからなっていることが好ましい。
【発明の効果】
【００１８】
本発明によれば、高所作業用命綱は、弾性部材が自然長となり、被覆部材が蛇腹状に弛む位置と、弾性部材が、被覆部材が緊張状態となるまで伸張する位置との間で伸縮する。
また、被覆部材は２層構造を有していて、この２層構造の内層だけで、作業者墜落時の衝撃荷重に耐え得る強度を備え、主として、被覆部材の内層が作業者墜落時に作業者を吊下げ支持する機能を奏する一方、被覆部材の外層は、主として、内層が摩耗および劣化等しないように保護する機能を奏する。
【００１９】
そして、通常の作業時は、高所作業用命綱は伸縮自在であるから、高所作業用命綱が作業者の移動を妨げたり、構造物に引っ掛かること等がなく、万一作業者が墜落した場合には、高所作業用命綱が最大長まで伸張するが、被覆部材の内層は作業者墜落時の衝撃荷重に耐え得る強度を有しているので、高所作業用命綱が破断することはなく、作業者は高所作業用命綱によって確実に固定用構造物から吊下げ状態に支持される。
【００２０】
さらに、本発明によれば、弾性部材の全体が被覆部材によって被覆され、弾性部材が摩耗や紫外線による劣化等から保護される。さらに、被覆部材の内層は外層によって被覆保護され、被覆部材の外層が摩耗および劣化等しても、作業者墜落時の高所作業用命綱の強度に問題が生じることはない。
【００２１】
そして、被覆部材の外層が摩耗および劣化等が一定程度進んだ時点で高所作業用命綱を交換することで、常に安全性を確保した状態で高所作業用命綱を長期間使用でき、高所作業用命綱の交換回数も従来より格段に減る。
【図面の簡単な説明】
【００２２】
【図１】本発明の１実施例による高所作業用命綱が収縮したときの全体構成を示す平面図であり、（Ａ）は一方向から見た図であり、（Ｂ）は（Ａ）の高所作業用命綱をその軸まわりに９０°回転した状態を示す図である。なお、図中、命綱本体の内部構造を明瞭にするため、被覆部材を透明な部材として描いてある。
【図２】図１の高所作業用命綱が最大長まで伸張したときの全体構成を示す図１に類似の図である。
【図３】（Ａ）は、図１の高所作業用命綱の命綱本体の内部を示す斜視図であり、（Ｂ）は、図１の高所作業用命綱の命綱本体の折り返し部の構成を示す斜視図である。
【図４】図１の高所作業用命綱の被覆部材の織組織を示す図であって、（Ａ）は織組織の内層と外層の接結点でない位置における横断面図であり、（Ｂ）は織組織の内層と外層の接結点における横断面図であり、（Ｃ）は（Ｂ）の変形例を示す横断面図である。
【図５】（Ａ）は、図１の高所作業用命綱の弾性部材および被覆部材の折り返し部の縫着部分の１例を示す平面図であり、（Ｂ）は（Ａ）の縫製パターンを示す平面図である。
【図６】（Ａ）は、図１の高所作業用命綱の弾性部材および被覆部材の折り返し部の縫着部分の別の例を示す平面図であり、（Ｂ）は（Ａ）の縫製パターンを示す平面図であり、（Ｃ）は、従来の高所作業用命綱の命綱本体の折り返し部の縫製パターンの１例を示す平面図である。
【発明を実施するための形態】
【００２３】
以下、添付図面を参照しつつ本発明の好ましい実施例を説明する。
図１は、本発明の１実施例による高所作業用命綱が収縮したときの全体構成を示す平面図であり、図１（Ａ）は一方向から見た図であり、図１（Ｂ）は図１（Ａ）の高所作業用命綱をその軸まわりに９０°回転した状態を示す図である。なお、図中、命綱本体の内部構造を明瞭にするため、被覆部材を透明な部材として描いてある。また、図２は、図１の高所作業用命綱が最大長まで伸張したときの全体構成を示す図１に類似の図である。
【００２４】
図１および図２に示すように、本発明による高所作業用命綱は、命綱本体１と、命綱本体１の基端１ａにショックアブソーバ４を介して取り付けられた、高所作業用安全帯の胴ベルト（図示はしない）への連結のための連結金具２と、命綱本体１の先端１ｂに取り付けられた、固定用構造物（図示はしない）への係止のためのフック３とを備えている。
【００２５】
連結金具２は、この実施例では、平板状をなし、胴ベルト挿通用の長穴２ａを有し、胴ベルトに直接連結する構成となっている。連結金具２は、また丸穴（連結用開口）２ｂを有し、丸穴２ｂには、ショックアブソーバ４の一方の連結環４ａが連結されている。
高所作業用命綱の連結金具２の構成はこの実施例に限定されず、例えば、胴ベルトのＤ環に連結する形式の高所作業用命綱の場合には、連結金具２としてフックやカラビナ等が使用される。
【００２６】
また、この実施例では、命綱本体１の基端１ａと連結金具２との間にショックアブソーバ４が配置されるが、ショックアブソーバ４は必要に応じて備えられ、本発明の必須構成要素ではない。また、ショックアブソーバ４を命綱本体１の先端１ｂおよびフック３間に配置することもできる。
【００２７】
図３（Ａ）は、図１の高所作業用命綱の命綱本体の内部を示す斜視図である。
図１〜図３（Ａ）に示すように、高所作業用命綱の命綱本体１は、長尺の弾性部材５を有している。弾性部材５は複数本のゴムひもからなっている。
なお、弾性部材５の構成はこれに限定されず、長手方向に伸縮自在な公知の任意の部材を弾性部材５として使用することができる。例えば、複数本のゴムひもの代わりに、単一のゴムひも、あるいは１本または複数本の平ゴムベルト等を使用してもよい。
【００２８】
命綱本体１は、さらに、弾性部材５を被覆する筒状の被覆部材６を有している。
被覆部材６は、この実施例では、２層構造の袋織物７ａ、７ｂからなっており、弾性部材５の自然長よりも長く、好ましくは弾性部材５の自然長の２倍程度の長さを有している。
【００２９】
図４（Ａ）は、この袋織物の表（裏）地の内層（内側織組織）と外層（外側織組織）の接結点でない位置における横断面図であり、図４（Ｂ）は、内層と外層の接結点における横断面図である。
図４（Ａ）、（Ｂ）を参照して、袋織物７ａ、７ｂの表（裏）地は、互いに接結された２つの平織組織からなる２重織の織組織を有している。
袋織物の表（裏）地の内層（内側織組織）７ａを構成する経糸の一部は金属糸（例えば、銅、アルミニウムおよびステンレス等の糸）１５からなり、内層７ａを構成する経糸の残りは高強度の合成繊維糸（例えば、ナイロン糸、ポリエステル糸およびアラミド繊維糸等）１６からなっている。また、袋織物の表（裏）地の外層（外側織組織）７ｂを構成する経糸１７、および袋織物の表（裏）地の内外層７ａ、７ｂを構成する緯糸１８ａ、１８ｂは、例えばナイロン糸やポリウレタン糸等の合成繊維糸からなっている。
この場合、袋織物の外層７ｂの経糸および袋織物の内外層７ａ、７ｂの緯糸１８ａ、１８ｂとして使用する合成繊維糸は必ずしも高強度を有している必要はない。
【００３０】
そして、この２層構造の袋織物７ａ、７ｂは、内層７ａおよび外層７ｂを各別に相重合して一定の長さまで織り（図４（Ａ））、次いで、外層７ｂを構成する緯糸１８ｂを内層７ａを構成する経糸１５、１６に接結し（図４（Ｂ））するという工程を繰り返し実行することによって織られている。
この場合、内外層７ａ、７ｂの接結は、図４（Ｃ）に示すように、内層７ａを構成する緯糸１８ａを外層７ｂを構成する経糸１７に接結することでも行える。
【００３１】
またこの実施例では、経糸１６および経糸１７は互いに異なる色を有している。
なお、被覆部材（袋織物）６の表（裏）地の２重織の織組織は、互いに接結された２つの綾織組織等の平織以外の織組織から構成することもできる。
袋織物７ａ、７ｂ（被覆部材６）は、長手方向に一定ピッチで波状に屈曲した状態に成形加工されている。
【００３２】
再び図１を参照して、弾性部材５および被覆部材６の一端（命綱本体１の基端１ａ側）同士が重ね合わされ、かつショックアブソーバ４の他方の連結環４ｂに挿通されて折り返された状態で、当該折り返し部８ａが弾性部材５および被覆部材６の本体部分に縫着される一方、弾性部材５および被覆部材６の他端（命綱本体１の先端１ｂ側）同士が重ね合わされ、かつフック３の連結用開口３ａに挿通されて折り返された状態で、当該折り返し部８ｂが弾性部材５および被覆部材６の本体部分に縫着されている。
【００３３】
図３（Ｂ）は、この折り返し部の構成を示す斜視図である。図３（Ｂ）を参照して、この実施例では、弾性部材５および被覆部材６の折り返し部８ａ、８ｂの湾曲部分に合成樹脂製のチューブ９が嵌め込まれ、さらに、折り返し部８ａ、８ｂの縫着部分は熱収縮チューブ１０によって被覆されている。
【００３４】
図５（Ａ）は、弾性部材および被覆部材の折り返し部の縫着部分の１例を示す平面図であり、図５（Ｂ）は図５（Ａ）の縫製パターンを示す平面図である。
図５を参照して、折り返し部８ａ、８ｂの縫着は、ミシンを使用し、単一の綴じ糸によってなされている。この場合、縫製パターンは、この実施例では、折り返し部８ａ、８ｂの両側に沿って直線状にのびる一対の第１の縫い部分１１ａ、１１ｂと、一端が一対の第１の縫い部分１１ａ、１１ｂのうちの一方１１ａの先端（点ｍ）に接続し、当該一方の第１の縫い部分１１ａから一対の第１の縫い部分１１ａ、１１ｂのうちの他方１１ｂに向けて、かつ一方の第１の縫い部分１１ａの長手方向中間までジグザグ状にのび、他端が一対の第１の縫い部分１１ａ、１１ｂ間に位置する第２の縫い部分１１ｃと、一対の第１の縫い部分１１ａ、１１ｂのそれぞれから等間隔をあけてかつ第１の縫い部分１１ａ、１１ｂに平行にのびる直線Ｌに関して第２の縫い部分１１ｃと軸対称に配置され、一端が他方の第１の縫い部分１１ｂの先端（点ｏ）に接続し、他端が第２の縫い部分１１ｃの前記他端に接続する第３の縫い部分１１ｄとを有し、さらに、一対の第１の縫い部分１１ａ、１１ｂの後端（点ｎ、点ｐ）がそれぞれ先端（点ｍ、点ｏ）側に折り返してのびている（折り返し縫い部分１１ｅ、１１ｆ）。
【００３５】
図６（Ａ）は、弾性部材および被覆部材の折り返し部の縫着部分の別の例を示す平面図であり、図６（Ｂ）は図６（Ａ）の縫製パターンを示す平面図である。
図６を参照して、この実施例の場合も、折り返し部８ａ、８ｂの縫着は、ミシンを使用し、単一の綴じ糸によってなされている。そして、縫製パターンは、折り返し部８ａ、８ｂの両側に沿って直線状にのびる一対の第１の縫い部分１２ａ、１２ｂと、一端が一対の第１の縫い部分のうちの一方１２ａの長手方向中間に接続し、当該一方の第１の縫い部分１２ａから一対の第１の縫い部分のうちの他方１２ｂに向けて、かつ一方の第１の縫い部分１２ａの先端（点ｗ）までジグザグ状にのび、他端が一対の第１の縫い部分１２ａ、１２ｂ間に位置する第２の縫い部分１２ｃと、一端が他方の第２の縫い部分１２ｂの後端（点ｚ）に接続し、他端が第２の縫い部分１２ｃの前記一端に接続する直線状の第３の縫い部分１２ｄと、一対の第１の縫い部分１２ａ、１２ｂのそれぞれから等間隔をあけてかつ第１の縫い部分１２ａ、１２ｂに平行にのびる直線Ｌ’に関して第２の縫い部分１２ｃと軸対称に配置され、一端が当該他方の第１の縫い部分１２ｂの長手方向中間に接続し、他端が第２の縫い部分１２ｃの前記他端に接続する第４の縫い部分１２ｅと、一端が一方の第１の縫い部分１２ａの後端（点ｘ）に接続し、他端が第４の縫い部分１２ｅの前記一端に接続する直線状の第５の縫い部分１２ｆと、一対の第１の縫い部分１２ａ、１２ｂの先端（点ｗ、点ｙ）同士を接続する直線状の第６の縫い部分１２ｇとを有し、さらに、一方の第１の縫い部分１２ａの後端（点ｘ）が先端（点ｗ）側に折り返してのびている（折り返し縫い部分１２ｈ）。
【００３６】
図５および図６（Ａ）〜（Ｂ）に示した本発明の縫製パターンの特徴は、折り返し部分８ａ、８ｂの両側に沿ってのびる一対の縫い部分（一対の第１の縫い部分）間に、それらに直角にのびる縫い部分が全くないか、または当該直角にのびる縫い部分があっても一対の縫い部分の後端にはない点にある。
本発明の縫製パターンとしたことによって、例えば図６（Ｃ）に示したような、折り返し部分の両側に沿ってのびる一対の縫い部分１４ａ、１４ｂの先後端に、当該一対の縫い部分に直角にのびる縫い部分１４ｃ、１４ｄがある従来の縫製パターンと比較して、命綱引っ張り時の折り返し部分の破断強度を２割程度増大させることができる。
【００３７】
そして、被覆部材６の内層７ａは、この折り返し部分８ａ、８ｂの破断強度も含めて、作業者墜落時の衝撃荷重に耐え得る強度を有している。
【００３８】
上記構成によって、高所作業用命綱は、弾性部材５が自然長となり、被覆部材６が蛇腹状に弛む位置と、弾性部材５が、被覆部材６が緊張状態となるまで伸張する位置との間で伸縮する。
また、被覆部材６は２層構造の袋織物７ａ、７ｂからなり、袋織物の内層７ａは、それ自体で作業者墜落時の衝撃荷重に耐え得る強度を有し、主として、作業者墜落時に作業者を吊下げ支持する機能を奏する一方、袋織物の外層７ｂは、主として、内層７ａが摩耗および劣化等しないように保護する機能を奏する。
【００３９】
そして、通常の作業時は、高所作業用命綱は伸縮自在であるから、高所作業用命綱が作業者の移動を妨げたり、構造物に引っ掛かること等がなく、万一作業者が墜落した場合には、高所作業用命綱が最大長まで伸張するが、被覆部材６の内層７ａは作業者墜落時の衝撃荷重に耐え得る強度を有しているので、高所作業用命綱が破断することはなく、作業者は高所作業用命綱によって確実に固定用構造物から吊下げ状態に支持される。
【００４０】
加えて、弾性部材５の全体が被覆部材６によって被覆され、弾性部材５が摩耗や紫外線による劣化等から保護される。さらに、被覆部材６の内層７ａは外層７ｂによって被覆保護され、外層７ｂが摩耗および劣化等しても、作業者墜落時の高所作業用命綱の強度に問題が生じることはない。
【００４１】
そして、被覆部材６の外層７ｂの摩耗および劣化等が一定程度進んだ時点で高所作業用命綱を交換することで、常に安全性を確保した状態で高所作業用命綱を長期間使用でき、高所作業用命綱の交換回数も従来より格段に減る。この場合、被覆部材６の内層７ａと外層７ｂで経糸の色が異なるので、外層７ｂの一部に穴があくと、そこから内層７ａの色が見え、それによって、外層７ｂの摩耗や劣化の程度を迅速かつ容易に視認できる。
【００４２】
以上、本発明の構成を好ましい実施例に基づいて説明したが、本発明の構成は上記実施例に限定されず、本願の特許請求の範囲に記載した構成の範囲内で種々の変形例を案出できる。
例えば、上記実施例では、被覆部材の内層の経糸の一部に金属糸を使用し、内層の残りの経糸および緯糸を高強度の合成繊維糸としたが、金属糸を使用せずに、内層の経糸および緯糸をすべて高強度の合成繊維糸としてもよい。
あるいは、被覆部材の内層の経糸の一部だけでなく、被覆部材の外層の経糸の一部にも金属糸を使用することができる。
また、上記実施例では、被覆部材を２層構造の袋織物としたが、被覆部材は、２層構造を有し、その内層が胴ベルトを装着した作業者の墜落時の衝撃荷重に耐え得る強度を有し、かつ折り返し縫製が可能であれば、袋織物以外のものであってもよい。
【符号の説明】
【００４３】
１  命綱本体
１ａ  基端
１ｂ  先端
２  連結金具
２ａ  長穴
２ｂ  丸穴（連結用開口）
３  フック
３ａ  連結用開口
４  ショックアブソーバ
４ａ、４ｂ  連結環
５  弾性部材
６  被覆部材
７ａ  内層
７ｂ  外層
８ａ、８ｂ  折り返し部
９  合成樹脂製チューブ
１０  熱収縮チューブ
１１ａ、１１ｂ  第１の縫い部分
１１ｃ  第２の縫い部分
１１ｄ  第３の縫い部分
１１ｅ、１１ｆ  折り返し縫い部分
１２ａ、１２ｂ  第１の縫い部分
１２ｃ  第２の縫い部分
１２ｄ  第３の縫い部分
１２ｅ  第４の縫い部分
１２ｆ  第５の縫い部分
１２ｇ  第６の縫い部分
１２ｈ  折り返し縫い部分
１４ａ、１４ｂ  折り返し部分の両側に沿ってのびる縫い部分
１４ｃ、１４ｄ  直角にのびる縫い部分
１５  金属糸
１６  内層を構成する経糸（高強度合成繊維糸）
１７  外層を構成する経糸（合成繊維糸）
１８ａ  内層を構成する緯糸（合成繊維糸）
１８ｂ  外層を構成する緯糸（合成繊維糸）
Ｇ  縫製の終点
Ｓ  縫製の始点
Ｌ、Ｌ’  直線
ｍ  一方の第１の縫い部分の先端
ｎ  一方の第１の縫い部分の後端
ｏ  他方の第１の縫い部分の先端
ｐ  他方の第１の縫い部分の後端
ｗ  一方の第１の縫い部分の先端
ｘ  一方の第１の縫い部分の後端
ｙ  他方の第１の縫い部分の先端
ｚ  他方の第１の縫い部分の後端
【図１】
0006628713.tif 000002
【図２】
0006628713.tif 000003
【図３】
0006628713.tif 000004
【図４】
0006628713.tif 000005
【図５】
0006628713.tif 000006
【図６】
0006628713.tif 000007